【手続補正書】
【提出日】平成18年11月10日(2006.11.10)
【手続補正１】
【補正対象書類名】明細書
【補正対象項目名】特許請求の範囲
【補正方法】変更
【補正の内容】
【特許請求の範囲】
【請求項１】  高価値の文書であって、
−少なくとも一つの第一の機械でチェック可能な物理的または化学的特性を有し、
−少なくとも一つの第二の機械でチェック可能な物理的または化学的特性を有し、
−両方の物理的または化学的特性が少なくとも一つの特性物質に由来し、
−前記第一および第二のチェック可能な特性を、互いに別々に機械でチェックすることができ、
−第一の温度で、前記特性物質が前記第一の機械でチェック可能な特性を失う、または該特性が計れる程度に変化し、
−該特性物質が、前記第一の温度で前記第二のチェック可能な特性を保持し、あるいは該第一の温度と明らかに異なる第二の温度でその特性を失う、
ことを特徴とする文書。
【請求項２】  前記第一および第二のチェック可能な特性を、同じ位置で、しかし互いに別々に機械でチェックできることを特徴とする請求項１記載の高価値の文書。
【請求項３】  前記チェック可能な特性が、同じ物理的効果に基づくことを特徴とする請求項１または２記載の高価値の文書。
【請求項４】  前記高価値の文書が、それぞれ前記第一および第二の物理的特性を有する少なくとも第一および第二の特性物質を特徴とする請求項１から３いずれか１項記載の高価値の文書。
【請求項５】  前記第一の温度が、前記高価値の文書の特定の燃焼温度以下であることを特徴とする請求項１から３いずれか１項記載の高価値の文書。
【請求項６】  前記第一および／または第二の温度が、前記高価値の文書の特定の燃焼温度より高いことを特徴とする請求項１から４いずれか１項記載の高価値の文書。
【請求項７】  前記第一および／または第二の温度が、前記高価値の文書の特定の燃焼温度より高いが、焼却温度より低いことを特徴とする請求項１から４いずれか１項記載の高価値の文書。
【請求項８】  前記第二の温度が、前記高価値の文書の焼却温度より高いことを特徴とする請求項１から４いずれか１項記載の高価値の文書。
【請求項９】  前記高価値の文書の特定の燃焼温度が、400℃から600℃まで、好ましくは約500℃であることを特徴とする請求項１から８いずれか１項記載の高価値の文書。
【請求項１０】  前記焼却温度が、1000℃以上であることを特徴とする請求項１から９いずれか１項記載の高価値の文書。
【請求項１１】  前記第一の特性物質が無機蛍光物質であり、前記第二の特性物質が有機蛍光物質であることを特徴とする請求項１から１０いずれか１項記載の高価値の文書。
【請求項１２】  前記有機蛍光物質が、メチレンブルーであることを特徴とする請求項１記載の高価値の文書。
【請求項１３】  前記第一および第二の特性物質が、それぞれ無機蛍光物質であることを特徴とする請求項１から１０いずれか１項記載の高価値の文書。
【請求項１４】  前記無機蛍光物質が、希土類ドープホストマトリクスを含有することを特徴とする請求項１から１３いずれか１項記載の高価値の文書。
【請求項１５】  前記チェック可能な特性の少なくとも一つが、保護ストリップまたは保護ファイバーの上にまたは中に含まれることを特徴とする請求項１から１４いずれか１項記載の高価値の文書。
【請求項１６】  前記チェック可能な特性の少なくとも一つが、高価値の文書上に印刷される少なくとも一つの印刷インク中に含まれることを特徴とする請求項１から１５いずれか１項記載の高価値の文書。
【請求項１７】  前記チェック可能な特性の少なくとも一つが、前記高価値の文書の基礎材料中に含まれることを特徴とする請求項１から１６いずれか１項記載の高価値の文書。
【請求項１８】  前記高価値の文書の基礎材料が実質的に、紙、好ましくはコットン紙からなることを特徴とする請求項１から１７いずれか１項記載の高価値の文書。
【請求項１９】  前記高価値の文書の基礎材料が実質的に、プラスチック物質からなることを特徴とする請求項１から１７いずれか１項記載の高価値の文書。
【請求項２０】  高価値の文書が真正であることを証明するための物質の組合せであって、
−第一のチェック可能な特性を有する第一の特性物質および
−第二のチェック可能な特性を有する第二の特性物質を有し、
−前記第一および第二のチェック可能な特性を互いに別々にチェックすることができ、
−前記第一の特性物質は、第一の温度で前記第一のチェック可能な特性を失い、
−前記第二の特性物質は、前記第一の温度で変化しない前記第二のチェック可能な特性を保持するが、該第一の温度と明らかに異なる第二の温度でその特性を失う、
ことを特徴とする物質の組合せ。
【請求項２１】  前記第一および第二のチェック可能な特性は、同じ物理的現象に基づくことを特徴とする請求項２０記載の物質の組合せ。
【請求項２２】  前記第一の特性物質が無機蛍光物質であり、前記第二の特性物質が有機蛍光物質であることを特徴とする請求項２０または２１記載の物質の組合せ。
【請求項２３】  前記有機蛍光物質が、メチレンブルーであることを特徴とする請求項２２記載の物質の組合せ。
【請求項２４】  前記第一および第二の特性物質が、それぞれ無機蛍光物質であることを特徴とする請求項２０または２１記載の物質の組合せ。
【請求項２５】  前記無機蛍光物質が、希土類ドープホストマトリクスを含むことを特徴とする請求項２２から２４いずれか１項記載の物質の組合せ。
【請求項２６】  前記希土類が、ネオジム、イッテルビウム、プラセオジム、エルビウムおよびホルミウム物質からなる群より選択されることを特徴とする請求項２５記載の物質の組合せ。
【請求項２７】  前記ホストマトリクスが、クロムおよび鉄からなる群より選択される物質を含有することを特徴とする請求項２５または２６記載の物質の組合せ。
【請求項２８】  前記第二の蛍光物質がZnS:CuClであり、前記第一の蛍光物質がY3Al5O12:Tbであることを特徴とする請求項２４記載の物質の組合せ。
【請求項２９】  請求項２０から２８いずれか１項記載の物質の組合せを使用して、高価値の文書が真正であることを証明する方法。
【請求項３０】  請求項１から２０いずれか１項記載の高価値の文書を製造するための方法であって、前記第一および第二のチェック可能な特性が前記高価値の文書に永久に付随することを特徴とする方法。
【請求項３１】  前記高価値の文書が、それぞれ前記第一および第二のチェック可能な特性を示す第一および第二の特性物質を備えていることを特徴とする請求項３０記載の方法。
【請求項３２】  前記特性物質の少なくとも一つを、保護ストリップ、保護ファイバーまたは前記高価値の文書の材料に添加剤として導入することを特徴とする請求項３１記載の方法。
【請求項３３】  前記特性物質の少なくとも一つを印刷インクと混合し、前記高価値の文書上に印刷することを特徴とする請求項３１記載の方法。
【請求項３４】  前記第一および第二の特性物質を、物質の混合物として加工することを特徴とする請求項３０から３３いずれか１項記載の方法。
【請求項３５】  請求項１から１９いずれか１項記載の高価値の文書から生じたと考えられる炭化したまたは燃焼した物質をチェックする方法であって、
−該高価値の文書がさらされる温度を測定し、
−物理的特性をチェックし、
−前記高価値の文書がさらされる温度に依存して保存した基準値を提供し、
−該基準値を測定値と比較する、
各工程を含むことを特徴とする方法。